(57)【要約】【課題】    周辺光の明るさによって画像表示部の輝度を制御できる有機発光表示装置を提供する。【解決手段】  本発明に係る有機発光表示装置は，周辺光の明るさに対応する感知信号を出力する光感知部１００と，感知信号１００に対応するガンマ補正値を出力するガンマ制御部２００と，ガンマ補正値によってガンマ補正されたデータ信号と選択信号とを出力する駆動部６００と，駆動部６００で出力される選択信号及びデータ信号によって画像を表示する画像表示部４００とを有している。【選択図】  図１
2006003874.tif 000002
【特許請求の範囲】
【請求項１】
周辺光の明るさに対応する感知信号を出力する光感知部と；
前記感知信号に対応するガンマ補正値を出力するガンマ制御部と；
前記ガンマ補正値によってガンマ補正されたデータ信号と選択信号とを出力する駆動部と；
前記駆動部から出力される選択信号及びデータ信号によって画像を表示する画像表示部と；
を含むことを特徴とする有機発光表示装置。
【請求項２】
前記光感知部は，
周辺光の明るさに対応するアナログ感知信号を出力する光センサーと；
前記アナログ感知信号をデジタル感知信号に変換するアナログ−デジタル変換器と；
を含むことを特徴とする，請求項１記載の有機発光表示装置。
【請求項３】
前記光センサーは，光抵抗器方式，光ダイオード方式，光トランジスタ方式，ＣＭＯＳ方式及びＣＣＤ方式のうち，いずれか一つの方式を用いた光センサーであることを特徴とする，請求項２記載の有機発光表示装置。
【請求項４】
前記アナログ−デジタル変換器は，
前記アナログ感知信号を所定の基準信号に比べた結果を出力する比較器を複数個含む複数の比較器と；
前記複数の比較器の出力を合算して出力する加算器と；
を含むことを特徴とする，請求項２記載の有機発光表示装置。
【請求項５】
前記ガンマ制御部は，
前記感知信号に対応する保存部制御信号を出力する感知信号処理部と；
前記保存部の制御信号に応じてガンマ補正値を出力するガンマ補正値保存部と；
を含むことを特徴とする，請求項１〜４のいずれかに記載の有機発光表示装置。
【請求項６】
前記ガンマ補正値保存部は，記録可能なメモリであることを特徴とする，請求項５記載の有機発  光表示装置。
【請求項７】
前記記録可能なメモリは，ＰＲＯＭ，ＥＰＲＯＭ，ＥＥＰＲＯＭ及びフラッシュメモリのうち，いずれか一つであることを特徴とする，請求項６記載の有機発光表示装置。
【請求項８】
前記ガンマ補正値保存部は，Ｒ，Ｇ，Ｂ別に別途のガンマ補正値を保存することを特徴とする，請求項５〜７のうちいずれかに記載の有機発光表示装置。
【請求項９】
前記ガンマ補正値は，
ホワイトの階調に対応するオン電圧値と，；
ガンマ曲線の傾きの変化程度を表す傾き値と；
を含むことを特徴とする，請求項５〜８のいずれかに記載の有機発光表示装置。
【請求項１０】
前記ガンマ補正値は，ブラックの階調に対応するオフ電圧値をさらに含むことを特徴とする，請求項９記載の有機発光表示装置。
【請求項１１】
前記駆動部は，
前記ガンマ補正値に対応するガンマ補正信号を出力するガンマ補正部と；
前記ガンマ補正信号に対応してガンマ補正された前記データ信号を出力するデータ駆動部と；
前記選択信号を出力する走査駆動部と；
を含むことを特徴とする請求項１〜１０のいずれかに記載の有機発光表示装置。
【請求項１２】
前記データ駆動部は，
クラック信号及び同期信号に対応してラッチ制御信号を出力するシフトレジスターと；
前記制御信号によってＲ，Ｇ，Ｂデータを順次的に受信し，並列に出力するデータラッチと；
前記データラッチの出力をアナログ信号に変換して前記データ信号として出力し，各階調値に対応する当該データ信号の値を，前記ガンマ補正信号に対応して決定するＤ／Ａ変換器と；
を含むことを特徴とする，請求項１１記載の有機発光表示装置。
【請求項１３】
前記駆動部は，
前記ガンマ補正値に対応して入力Ｒ，Ｇ，Ｂデータをガンマ補正して出力するガンマ補正部と；
前記ガンマ補正されたＲ，Ｇ，Ｂデータに対応して前記データ信号を出力するデータ駆動部と；
前記選択信号を出力する走査駆動部と；
を含むことを特徴とする，請求項１〜１２のいずれかに記載の有機発光表示装置。
【請求項１４】
周辺光の明るさを測定するステップと；
前記測定された明るさに対応するガンマ補正値を複数のガンマ補正値を保存しているガンマ補正値保存部から出力するステップと；
前記出力されたガンマ補正値によってガンマ補正されたデータ信号及び選択信号を形成するステップと；
前記選択信号及びデータ信号によって画像表示部に画像を表示するステップと；
を含むことを特徴とする，有機発光表示装置の制御方法。
【請求項１５】
前記ガンマ補正値保存部は，記録可能なメモリであることを特徴とする，請求項１４記載の有機発光表示装置の制御方法。
【請求項１６】
前記記録可能なメモリは，ＰＲＯＭ，ＥＰＲＯＭ，ＥＥＰＲＯＭ  及びフラッシュメモリのうち，いずれか一つであることを特徴とする，請求項１５記載の有機発光表示装置の制御方法。
【請求項１７】
前記ガンマ補正値保存部は，Ｒ，Ｇ，Ｂ別に別途のガンマ補正値を保存することを特徴とする，請求項１４〜１６のいずれかに記載の有機発光表示装置の制御方法。
【請求項１８】
前記ガンマ補正値は，
ホワイトの階調に対応するオン電圧値と；
ガンマ曲線の傾きの変化程度を表す傾き値と；
を含むことを特徴とする，請求項１４〜１７のいずれかに記載の有機発光表示装置の制御方法。
【請求項１９】
前記ガンマ補正値は，ブラックの階調に対応するオフ電圧値をさらに含むことを特徴とする，請求項１８記載の有機発光表示装置の制御方法。
【発明の詳細な説明】
【技術分野】
【０００１】
本発明は，有機発光表示装置（ｏｒｇａｎｉｃ  ｌｉｇｈｔ  ｅｍｉｔｔｉｎｇ  ｄｉｓｐｌａｙ）及びその制御方法に関する。特に，周辺光の明るさに応じて画像表示部の輝度を制御することができる有機発光表示装置に関する。
【背景技術】
【０００２】
有機発光表示装置は，有機物薄膜に陰極と陽極とを介して注入された電子と正孔とが再結合（ｒｅｃｏｍｂｉｎａｔｉｏｎ）して励起子（ｅｘｃｉｔｏｎ）を形成し，形成された励起子から特定の波長の光が発生される現像を用いた表示装置である。有機発光表示装置は，自体発光素子を用いて構成されるので，ＬＣＤ（ｌｉｑｕｉｄ  ｃｒｙｓｔａｌ  ｄｉｓｐｌａｙ）とは異なり，別途の光源を必要としないという特徴を持つ。また，有機発光表示装置を構成する有機発光素子（ｏｒｇａｎｉｃ  ｌｉｇｈｔ  ｅｍｉｔｔｉｎｇ  ｄｅｖｉｃｅ，ＯＬＥＤ）の輝度は，有機発光素子に流れる電流量によって制御されるという特徴を持つ。
【０００３】
有機発光表示装置の駆動方式としては，受動マトリックス方式と能動マトリックス方式とが知られている。このうち，受動マトリックス方式は，陽極と陰極とを直交するように形成し，ラインを選択して駆動する方式である。受動マトリックス方式による有機発光表示装置は，その構造が単純であるため，製造が容易な反面，大画面の製品では多くの電流量が消耗され，さらに各発光素子を駆動できる時間が短いという問題点がある。能動マトリックス方式は，能動素子を用いて発光素子に流れる電流量を制御する方式である。能動素子として，薄膜トランジスター（ｔｈｉｎ  ｆｉｌｍ  ｔｒａｎｓｉｓｔｏｒ，以下，ＴＦＴという）が主に用いられる。能動マトリックス方式は，やや複雑であるが電流消耗量が少なく，発光時間が長いという長所がある。
【０００４】
なお，これらに関連する技術として，液晶ガンマ補正回路が開示されている（例えば，特許文献１参照）。また，Ｉｍａｇｅ  ｒｅａｄｉｎｇ  ａｐｐａｒａｔｕｓ，  ｍｅｔｈｏｄ  ａｎｄ  ｓｙｓｔｅｍ”：  ｌｉｇｈｔ  ｓｏｕｒｃｅの光出力量を調節する発明が開示されている（例えば，特許文献２参照）。さらに，輝度を利用したブラウン管のハウリング測定方法及びこれに適する装置が開示されている（例えば，特許文献３参照）。
【特許文献１】特開平６−１６１３８４号明細書
【特許文献２】米国特許出願公開第６０２３５３２号明細書
【特許文献３】大韓民国特許公開第２００３−００８６７３号明細書
【発明の開示】
【発明が解決しようとする課題】
【０００５】
しかしながら，このような有機発光素子の寿命は，有機発光素子に流れる電流量によって決定される。したがって，有機発光素子が余計に高い輝度を持つようになれば，有機発光素子に流れる電流量が増えて有機発光素子の寿命が短縮されるという問題があった。また，有機発光素子が余計に高い輝度を持つようになれば，有機発光素子に流れる電流量が増えて電力消耗が増加するという問題があった。このような問題に鑑みて，有機発光素子を適切な輝度に持つように調整する必要がある。
【０００６】
本発明は，上記問題点を解決するために案出されたのもので，本発明の第１の目的は，周辺光の明るさに対応するガンマ補正値を用いることによって，周辺光の明るさによって輝度を調節することが可能な有機発光表示装置及びその制御方法を提供することにある。
【０００７】
また，本発明の第２の目的は，記録可能なメモリ（ｐｒｏｇｒａｍｍａｂｌｅ  ｍｅｍｏｒｙ）を用いてガンマ補正値を保存することによって，製作された有機発光表示装置の個々の状態に適したガンマ補正値を，または使用者に適したガンマ補正値を記録することができる有機発光表示装置及びその制御方法を提供することにある。
【０００８】
また，本発明の第３の目的はＲ，Ｇ，Ｂ別に別途のガンマ補正値を用いることによって，製作された有機発光表示装置のホワイトの色座標値が所望の値となるように補正できる有機発光表示装置及びその制御方法を提供することにある。
【課題を解決するための手段】
【０００９】
上記目的を達成するために，本発明に係る有機発光表示装置は，周辺光の明るさに対応する感知信号を出力する光感知部と；感知信号に対応するガンマ補正値を出力するガンマ制御部と；ガンマ補正値によってガンマ補正されたデータ信号と選択信号とを出力する駆動部と；駆動部から出力される選択信号及びデータ信号によって画像を表示する画像表示部と；を含むことを特徴とする。
【００１０】
また，光感知部は，周辺光の明るさに対応するアナログ感知信号を出力する光センサーと；アナログ感知信号をデジタル感知信号に変換するアナログ−デジタル変換器と；を含んでいてもよい。
【００１１】
さらに，光センサーは，光抵抗器方式，光ダイオード方式，光トランジスタ方式，ＣＭＯＳ方式及びＣＣＤ方式のうち，いずれか一つの方式を用いた光センサーであってもよい。
【００１２】
また，アナログ−デジタル変換器が，アナログ感知信号を所定の基準信号に比べた結果を出力する比較器を複数個含む複数の比較器と；複数の比較器の出力を合算して出力する加算器と；を含んでいてもよい。
【００１３】
さらに，ガンマ制御部が，感知信号に対応する保存部制御信号を出力する感知信号処理部と；保存部の制御信号に応じてガンマ補正値を出力するガンマ補正値保存部と；を含んでいてもよい。
【００１４】
また，ガンマ補正値保存部が，記録可能なメモリであってもよく，記録可能なメモリが，ＰＲＯＭ，ＥＰＲＯＭ，ＥＥＰＲＯＭ及びフラッシュメモリのうち，いずれか一つであってもよい。
【００１５】
さらに，ガンマ補正値保存部が，Ｒ，Ｇ，Ｂ別に別途のガンマ補正値を保存するものであってもよい。
【００１６】
また，ガンマ補正値が，ホワイトの階調に対応するオン電圧値と，ガンマ曲線の傾きの変化程度を表す傾き値と；を含んでいてもよい。
【００１７】
ガンマ補正値は，ブラックの階調に対応するオフ電圧値をさらに含んでいてもよい。
【００１８】
また，駆動部は，ガンマ補正値に対応するガンマ補正信号を出力するガンマ補正部と；ガンマ補正信号に対応してガンマ補正された上記データ信号を出力するデータ駆動部と；選択信号を出力する走査駆動部と；を含んでいてもよい。
【００１９】
さらに，データ駆動部は，クラック信号及び同期信号に対応してラッチ制御信号を出力するシフトレジスターと；制御信号によってＲ，Ｇ，Ｂデータを順次的に受信し，並列に出力するデータラッチと；データラッチの出力をアナログ信号に変換してデータ信号として出力し，各階調値に対応する当該データ信号の値を，ガンマ補正信号に対応して決定するＤ／Ａ変換器と；を含んでいてもよい。
【００２０】
また，駆動部は，ガンマ補正値に対応して入力Ｒ，Ｇ，Ｂデータをガンマ補正して出力するガンマ補正部と；ガンマ補正されたＲ，Ｇ，Ｂデータに対応してデータ信号を出力するデータ駆動部と；選択信号を出力する走査駆動部と；を含んでいてもよい。
【００２１】
また，本発明に係る有機発光表示装置の制御方法は，周辺光の明るさを測定するステップと；測定された明るさに対応するガンマ補正値を複数のガンマ補正値を保存しているガンマ補正値保存部から出力するステップと；出力されたガンマ補正値によってガンマ補正されたデータ信号及び選択信号を形成するステップと；選択信号及びデータ信号によって画像表示部に画像を表示するステップと；を含むことを特徴とする。
【００２２】
また，ガンマ補正値保存部が，記録可能なメモリであってもよい。
【００２３】
さらに，記録可能なメモリが，ＰＲＯＭ，ＥＰＲＯＭ，ＥＥＰＲＯＭ  及びフラッシュメモリのうち，いずれか一つであってもよい。
【００２４】
また，ガンマ補正値保存部は，Ｒ，Ｇ，Ｂ別に別途のガンマ補正値を保存すものであってもよい。
【００２５】
ガンマ補正値は，ホワイトの階調に対応するオン電圧値と；ガンマ曲線の傾きの変化程度を表す傾き値と；を含んでいてもよい
また，ガンマ補正値は，ブラックの階調に対応するオフ電圧値をさらに含んでいてもよい。
【発明の効果】
【００２６】
本発明による有機発光表示装置及びその制御方法によれば，周辺光の明るさに対応するガンマ補正値を用いることによって，周辺光の明るさによって輝度を調節することが可能となるため，画素の寿命を伸ばして電力損失を減らすことができるという効果が得られる。
【００２７】
また，本発明による有機発光表示装置及びその制御方法によれば，記録可能なメモリを用いてガンマ補正値を保存することによって，製作された画像表示部の個々に適したガンマ補正値，または使用者に適したガンマ補正値を記録できるという効果が得られる。
【００２８】
さらに，本発明による有機発光表示装置及びその制御方法によれば，Ｒ，Ｇ，Ｂ別に別途のガンマ補正値を用いることによって，製作された有機発光表示装置のホワイトの色座標値が所望の値となるように補正できるという効果が得られる。
【発明を実施するための最良の形態】
【００２９】
以下に図１〜図１０を参照しながら，本発明の好適な実施の形態について詳細に説明する。なお，本明細書及び図面において，実質的に同一の機能構成を有する構成要素については，同一の符号を付することにより重複説明を省略する。
【００３０】
図１は，本発明の第１実施形態における有機発光表示装置の回路図である。
【００３１】
有機発光表示装置は，図１に示すように，光感知部１００，ガンマ制御部２００，駆動部３００及び画像表示部４００を有している。
【００３２】
光感知部１００は，周辺光の明るさを測定して周辺光の明るさに対応する感知信号をガンマ制御部２００に出力する。光感知部１００は，光センサー１１０及びＡ／Ｄ変換器１２０を有している。光センサー１１０は，周辺光の明るさを測定してアナログ感知信号を出力する。アナログ感知信号は，電圧信号，または電流信号である。光センサー１１０には，例えば，入射された光によって抵抗体の抵抗値が変わることを用いる光抵抗器（ｐｈｏｔｏｒｅｓｉｓｔｏｒ）方式や，半導体のＰＮ接合面に光が照射されれば電子及び正孔の一対が発生され，電流が流れることを用いる光ダイオード（ｐｈｏｔｏｄｉｏｄｅ）方式や，ベースと，コレクター間の光ダイオードの光電流を増幅して出力する光トランジスタ（ｐｈｏｔｏ  ｔｒａｎｓｉｓｔｏｒ）方式などが存在し，また，ＣＯＭＳ（ｃｏｍｐｌｅｍｅｎｔａｒｙ  ｍｅｔａｌ  ｏｘｉｄｅ  ｓｅｍｉｃｏｎｄｕｃｔｏｒ）方式及びＣＣＤ（ｃｈａｒｇｅ−ｃｏｕｐｌｅｄ  ｄｅｖｉｃｅ）方式なども知られている。Ａ／Ｄ変換器１２０は，光センサー１１０から出力されるアナログ感知信号をデジタル感知信号に変換して出力する。
【００３３】
ガンマ制御部２００は，光感知部１００で出力される感知信号に対応するガンマ補正値を駆動部３００に出力する。ガンマ制御部２００は，感知信号処理部２１０と，ガンマ補正値保存部２２０とを有している。感知信号処理部２１０は，ガンマ補正値保存部２２０に保存部制御信号を出力して，ガンマ補正値保存部２２０が感知信号に対応するガンマ補正値を出力するように制御する。ガンマ補正値保存部２２０は，感知信号に対応する複数のガンマ補正値を保存しており，保存部制御信号に対応するガンマ補正値をガンマ補正部３１０に出力する。ガンマ補正値保存部２２０にはＲ，Ｇ，Ｂ別に別途のガンマ補正値が保存されている。ガンマ補正値保存部２２０は，記録可能なメモリであり，例えば，１回に限って記録可能なＰＲＯＭ（ｐｒｏｇｒａｍｍａｂｌｅ  ｒｅａｄ  ｏｎｌｙ  ｍｅｍｏｒｙ），再記入が可能なＥＰＲＯＭ（ｅｒａｓａｂｌｅ  ＰＲＯＭ），電気的に再記入が可能なＥＥＰＲＯＭ（ｅｌｅｃｔｒｉｃａｌｌｙ  ｅｒａｓａｂｌｅ  ＰＲＯＭ）及びフラッシュメモリなどが用いられる。ガンマ補正値保存部２２０の記録は，感知信号処理部２１０の制御により行うこともでき，別途の保存部制御手段（図示せず）によって行うこともできる。ガンマ補正値保存部２２０は，記録が可能であるため，製作された有機発光表示装置の個々に適したガンマ補正値を，または使用者に適したガンマ補正値を記録することができる。具体的に説明すれば，製作された個々の画像表示部４００の特性は，工程条件の小さな変化等の影響を受けて，製作された個々の画像表示部４００ごとに異なる輝度特性を持つ場合が多い。したがって，記録が不可能なメモリ，例えばマスクＲＯＭ（ｍａｓｋ  ｒｅａｄ  ｏｎｌｙ  ｍｅｍｏｒｙ）のようなメモリを用いる場合には，製作されたあらゆる画像表示部に対して固定されたガンマ補正値を設定しなければならないので，製作された個々の画像表示部４００の輝度特性を反映できず，適切なガンマ補正ができなくなってしまう。したがって，記録可能なメモリを用いて，製作された画像表示部４００に適したガンマ補正値をこのメモリに記録することによって，工程条件の差にもかかわらず所望の輝度特性を持つ有機発光表示装置を得ることができる。
【００３４】
駆動部３００は，選択信号及びガンマ補正値によってガンマ補正されたデータ信号を画像表示部４００に伝達する機能を備えている。駆動部３００は，ガンマ補正部３１０，データ駆動部３２０及び走査駆動部３３０を有している。ガンマ補正部３１０は，ガンマ補正値保存部２２０から出力されるガンマ補正値に対応するガンマ補正信号を生成してデータ駆動部３２０に出力する。データ駆動部３２０は，ガンマ補正信号によってガンマ補正されたデータ信号を画像表示部４００に伝達する。走査駆動部３３０は，画像表示部４００に選択信号を伝達する。
【００３５】
画像表示部４００は，複数の画素（図示せず）を含み，データ駆動部３２０から伝達されるデータ信号を走査駆動部３３０から伝達される選択信号によって選択された画素へ伝達し，伝達されたデータ信号に対応して画像表示部４００の画素が発光するようにする。
【００３６】
図１に示す有機発光表示装置は，上述した方式に基づいて動作することにより，駆動部３００に入力されるデータ信号に対応する画像を表示する。また，光感知部１００で測定された感知信号に対応するガンマ補正値を用いることによって，周辺の明るさに対応して画像表示部４００の輝度を調節することができる。また，記録可能なメモリをガンマ補正値保存部２２０として用いることによって，製作された個々の画像表示部４００に適したガンマ補正値をメモリに記録することができる。また，Ｒ，Ｇ，Ｂ別に別途のガンマ補正値を用いることによって，製作された有機発光表示装置のホワイトの色座標値が所望の値となるように補正することができる。
【００３７】
図２は，携帯電話などの端末における，図１に示した光センサーの設置例を示した図面である。
【００３８】
端末は，図２に示すように，画像表示部４００と，第１胴体５１０及び第２胴体５２０で構成された胴体部５１０，５２０と，光センサー１１０を有している。
【００３９】
胴体部５１０，５２０には，図１に示したＡ／Ｄ変換器１２０，ガンマ制御部２００及び駆動部３００が設けられている。また，胴体部５１０，５２０は，アンテナ５２１，ＲＦ送受信機（ｒａｄｉｏ  ｆｒｅｑｕｅｎｃｙ  ｔｒａｎｓｃｅｉｖｅｒ）（図示せず）及び基底帯域処理器（ｂａｓｅｂａｎｄ  ｐｒｏｃｅｓｓｏｒ）（図示せず）などを有しており，これらを用いることによって無線通信を行うことが可能となっている。
【００４０】
光センサー１１０は，胴体部５１０，５２０の全面のうち，どちらか一面に設けられるが，画像表示部４００が位置する面と同じ面に設置することが好ましい。なぜならば，画像表示部４００の明るさは，画像表示部４００に入射される光の明るさに対応して調節されることが最もよいが，画像表示部４００に光センサー１１０を設置することが容易でないので，光センサー１１０を画像表示部４００が位置する面と同じ面に位置させることによって画像表示部４００に入射される光に最も近い光を測定することができるからである。光センサー１１０は，画像表示部４００が位置する面の中から画像表示部４００の上側，下側，左側及び右側のうち，いずれか一箇所に位置することができる。
【００４１】
図３は，図１の有機発光表示装置に用いられたＡ／Ｄ変換器の一例を示す図面である。
【００４２】
Ａ／Ｄ変換器１２０は，図３に示すように，第１〜第３比較器１２１，１２２，１２３，加算器１２４を有している。第１比較器１２１は，アナログ感知信号ＳＡと第１基準電圧Ｖｒｅｆ１を比較した結果を出力する。例えば，アナログ感知信号ＳＡが第１基準電圧Ｖｒｅｆ１より大きい場合には‘１’を出力し，アナログ感知信号ＳＡが第１基準電圧Ｖｒｅｆ１より小さい場合には’０’を出力する。同様に，第２比較器１２２は，アナログ感知信号ＳＡと第２基準電圧Ｖｒｅｆ２を比較した結果を出力し，第３比較器１２３は，アナログ感知信号ＳＡと第３基準電圧Ｖｒｅｆ３を比較した結果を出力する。第１基準電圧Ｖｒｅｆ１，第２基準電圧Ｖｒｅｆ２，第３基準電圧Ｖｒｅｆ３の値を可変させることによって，同じデジタル感知信号ＳＤに対応するアナログ感知信号ＳＡの領域を変更させることもできる。加算器１２４は，第１〜第３比較器１２１，１２２，１２３から出力された結果を足した２ビットのデジタル感知信号ＳＤを出力する。
【００４３】
第１基準電圧Ｖｒｅｆ１を１Ｖとし，第２基準電圧Ｖｒｅｆ２を２Ｖとし，第３基準電圧Ｖｒｅｆ３を３Ｖとして，アナログ感知信号ＳＡの電圧値が，周辺光の明るさが明るくなるにつれて大きくなると仮定して，図３を用いて，Ａ／Ｄ変換器１２０を以下に説明する。アナログ感知信号ＳＡが１Ｖより小さい場合，第１〜第３比較器１２１，１２２，１２３は各々‘０’，‘０’及び‘０’を出力し，加算器１２４は‘００’のデジタル感知信号ＳＤを出力する。アナログ感知信号ＳＡが１Ｖと２Ｖの間の場合，第１乃〜第３比較器１２１，１２２，１２３は各々‘１’，‘０’及び‘０’を出力し，加算器１２４は，‘０１’のデジタル感知信号ＳＤを出力する。同様にアナログ感知信号ＳＡが２Ｖと３Ｖの間の場合，加算器１２４は，‘１０’のデジタル感知信号ＳＤを出力する。また，アナログ感知信号ＳＡが３Ｖ以上である場合，加算器１２４は，‘１１’のデジタル感知信号ＳＤを出力する。Ａ／Ｄ変換器１２０は，このような方式で動作し，周辺の明るさが暗い場合から明るい場合まで四つの段階に区分して最も暗い時には‘００’を出力し，多少暗い時には‘０１’を出力し，多少明るい時には‘１０’を出力し，最も明るい時には‘１１’を出力する。
【００４４】
図４は，図１に示す有機発光表示装置のガンマ補正値保存部２２０に保存されたガンマ補正値の一例を説明するためのグラフである。
【００４５】
図４において，横軸は階調値を表し，縦軸は駆動部３００から画像表示部４００に出力されるデータ電圧を表している。図４に示すグラフは，各階調値に対応するデータ電圧を表現しており，このグラフをガンマ曲線という。ガンマ補正は，一例として駆動部３００に入力されるＲ，Ｇ，Ｂデータについて画像表示部４００の輝度が非線形的な特性を持つように補正を行うことを意味する。オフ電圧Ｖｏｆｆは，ブラック（階調値０）に対応する電圧であり，オン電圧Ｖｏｎは，ホワイト（階調値１５）に対応する電圧を意味する。傾き値は曲線の傾きの変化程度を表している。図面符号Ｃ２に対応する曲線の傾きの変化程度は，Ｃ１に対応する曲線のそれより大きく，Ｃ３に対応する曲線のそれより小さい。
【００４６】
ガンマ補正値保存部２２０に保存されたガンマ補正値は，各階調値に対応されるあらゆる電圧値（Ｖｏｎ〜Ｖｏｆｆ）で構成される。この場合にはガンマ補正値を用いてガンマ補正を容易に行うことができるが，あらゆる階調値に対応する多くの電圧値を保存していなければならないので，多くの保存空間を占めるという問題点がある。ガンマ補正値保存部２２０に保存されたガンマ補正値は，一部の階調値に対応する電圧値で構成される。この場合，残りの電圧値は，保存された電圧値を補間（ｉｎｔｅｒｐｏｌａｔｉｏｎ）することにより求めることができる。また，ガンマ補正値保存部２２０に保存されたガンマ補正値は，オフ電圧Ｖｏｆｆ，オン電圧Ｖｏｎ及び傾き値で構成される。このようにして，３種類の値から図面に示されたガンマ曲線を求めることができる。万一，オフ電圧Ｖｏｆｆが固定された電圧値を持つ場合には，ガンマ補正値はオン電圧Ｖｏｎ及び傾き値だけで構成される。
【００４７】
図５は，図１に示す有機発光表示装置のガンマ補正値保存部２２０に対して，Ｒ，Ｇ，Ｂ別に別途のガンマ補正値を保存する必要性を説明するための図面であり，ｘｙ色図表を示す図面である。
【００４８】
図５において，以下の式１に表された数式を，ｘ軸の座標値（ｘ）とｙ軸の座標値（ｙ）とにより図示したものである。
【００４９】
ｘ＝Ｘ／（Ｘ＋Ｙ＋Ｚ），  ｙ＝Ｙ／（Ｘ＋Ｙ＋Ｚ）  ・・・（式１）  
ここで，Ｘは赤色の輝度，Ｙは緑色の輝度，及びＺは青色の輝度を意味する。図５の符号Ｗは，ホワイトの色座標を意味し，一例として，ｘ＝０．３１，ｙ＝０．３１６で表されている。図面符号Ｒが表された領域は，赤色に近い色が表現される領域を意味し，図面符号Ｇが表された領域は，緑色に近い色が表現される領域を意味し，図面符号Ｂが表された領域は，青色に近い色が表現される領域を意味する。
【００５０】
製作された画像表示部４００は，製作工程の差などによって初期の色座標が所望のホワイトの色座標から外れて，赤色領域Ｒ，緑色領域Ｇ，または青色領域Ｂに位置することもあり得る。この場合，赤色データ，青色データ，緑色データに対してガンマ補正値を異にすることによって，ホワイトの色座標を所望の色座標に位置するように補正することができる。
【００５１】
図６は，感知信号によるガンマ補正値を説明するためのグラフである。
【００５２】
図６において，図面符号Ｃ１は，周辺の明るさが最も暗いことを表す感知信号に対応するガンマ曲線を表している。図面符号Ｃ２は周辺の明るさが多少暗いことを表す感知信号に対応するガンマ曲線を表している。図面符号Ｃ３は周辺の明るさが多少明るいことを表す感知信号に対応するガンマ曲線を表している。図面符号Ｃ４は周辺の明るさが最も明るいことを表す感知信号に対応するガンマ曲線を表している。したがって，ガンマ補正値保存部２２０では，各ガンマ曲線Ｃ１，Ｃ２，Ｃ３，Ｃ４に対応するガンマ補正値であるＶｏｎ１，Ｖｏｎ２，Ｖｏｎ３，Ｖｏｎ４及び各ガンマ曲線の傾き値を保存していればよい。
【００５３】
図７は，図１に示す有機発光表示装置に用いられたデータ駆動部３２０の一例を示す図面である。
【００５４】
データ駆動部３２０は，図７に示すように，シフトレジスター３２１と，データラッチ３２２と，Ｄ／Ａ変換器３２３とを有している。シフトレジスター３２１は，水平クラック信号ＨＣＬＫ及び水平同期信号ＨＳＹＮＣに対応してデータラッチ３２２を制御する機能を備えている。データラッチ３２２は，１水平ライン分のＲ，Ｇ，Ｂデータを順次的に受信して並列的にＤ／Ａ変換器３２３に出力する。データラッチ３２２は，シフトレジスター３２１から出力される制御信号によって制御される。Ｄ／Ａ変換器３２３は，アナログ信号に変換されたＲ，Ｇ，Ｂデータのデータ信号を画像表示部４００に伝達する機能を果たす。Ｄ／Ａ変換器３２３は，複数のＤ／Ａ変換回路（図示せず）を有している。各Ｄ／Ａ変換回路において，各階調値に対応するデータ信号の電流値または電圧値はガンマ補正信号によって決められる。
【００５５】
図８は，図７に示すデータ駆動部３２０に用いられたＤ／Ａ変換回路の一例を示す図面である。図８には，デジタルデータ信号が４ビットである場合の例が示されている。
【００５６】
Ｄ／Ａ変換回路は，図８に示すように，複数のインバータ３２４及び複数のＮＭＯＳトランジスター３２５を有している。４ビットのデジタルデータ信号Ｄ０，Ｄ１，Ｄ２，Ｄ３及びインバータ３２４を通過したこれらの信号は，各ＮＭＯＳトランジスター３２５のゲートに伝達され，この信号に基づいて各ＮＭＯＳトランジスター３２５がオン，オフ制御される。各ガンマ補正信号（Ｖ０〜Ｖ１５）は，直列連結した４個のＮＭＯＳトランジスター３２５に伝達され，デジタルデータ信号Ｄ０，Ｄ１，Ｄ２，Ｄ３及びインバータ３２４を通過したこれらが信号によって４個のＮＭＯＳトランジスター３２５が全てオンされる場合にアナログデータ信号として出力される。一例として，デジタルデータ信号が２進数として０００１である場合，即ち，Ｄ０は１であり，Ｄ１は０であり，Ｄ２は０であり，Ｄ３は１である場合には，図面符号Ｖ１に該当するガンマ補正信号が伝達された４個のＮＭＯＳトランジスター３２５が全てオンされてＶ１に該当するアナログデータ信号が出力される。この際，残りの各ガンマ補正信号が伝達される４個のＮＭＯＳトランジスター３２５のうち，少なくとも一つはオフされるので，残りのガンマ補正信号はアナログデータ信号を出力しない。
【００５７】
上記実施形態は，各デジタルデータ信号Ｄ０，Ｄ１，Ｄ２，Ｄ３のあらゆる階調値に該当するガンマ補正信号（Ｖ０〜Ｖ１５）が入力される場合に該当するものであるが，デジタルデータ信号の階調値等のうち，一部に該当するガンマ補正信号のみが入力され，残りの階調値は，入力されたガンマ補正信号の補完を行うことによって得られることもある。
【００５８】
図９は，図１に示す有機発光表示装置に用いられた画像表示部４００に含まれる画素の一例を示す図面である。
【００５９】
有機発光表示装置の画素は，図９に示すように，有機発光素子ＯＬＥＤ，駆動トランジスターＭＤ，キャパシターＣ及びスイッチングトランジスターＭＳを有している。駆動トランジスターＭＤ及びスイッチングトランジスターＭＳは，薄膜トランジスターにより構成することができ，それぞれゲート，ソース及びドレインを持つ。キャパシターＣは，第１端子及び第２端子を持つ。
【００６０】
スイッチングトランジスターＭＳのゲートは，走査線ＳＣＡＮに接続され，ソースは駆動トランジスターＭＤのゲートに接続され，ドレインは，データ線ＤＡＴＡに接続される。スイッチングトランジスターＭＳは，走査線ＳＣＡＮに印加される走査信号に応答してデータ線ＤＡＴＡに印加されるデータ電圧に対応する電圧をキャパシターＣに保存する機能を果たす。
【００６１】
キャパシターＣの第１端子には，電源電圧ＶＤＤが印加され，第２端子は，駆動トランジスターＭＤのゲートに接続される。キャパシターＣは，スイッチングトランジスターＭＳがオン状態である場合（期間）にデータ線ＤＡＴＡに印加されるデータ電圧に対応する電圧を保存し，スイッチングトランジスターＭＳがオフ状態である場合（期間）に上記電圧を維持する機能を有する。
【００６２】
駆動トランジスターＭＤのゲートは，キャパシターＣの第２端子に接続され，ソースには電源電圧ＶＤＤが印加され，ドレインは，有機発光素子ＯＬＥＤのアノード電極に接続される。駆動トランジスターＭＤは，キャパシターの第１端子と第２端子間とにかかった電圧に対応する電流を有機電界発光表示装置に供給する機能を有している。
【００６３】
図１０は，本発明の第２実施形態による有機発光表示装置の回路図である。
【００６４】
有機発光表示装置は，図１０に示すように，光感知部１００，ガンマ制御部２００，駆動部６００及び画像表示部４００を有している。これらのうち，光感知部１００，ガンマ制御部２００及び画像表示部４００は，本発明の第１実施形態による有機発光表示装置と同様であるから，その説明は省略する。
【００６５】
駆動部６００は，選択信号及びガンマ補正値によってガンマ補正されたデータ信号を画像表示部４００に伝達する機能を有している。駆動部６００は，ガンマ補正部６１０，データ駆動部６２０及び走査駆動部６３０を有している。ガンマ補正部６１０はＲ，Ｇ，Ｂデータの入力を受けてガンマ補正されたＲ，Ｇ，Ｂデータをデータ駆動部６２０に出力する。データ駆動部６２０は，ガンマ補正されたＲ，Ｇ，Ｂデータに対応するデータ信号を画像表示部４００に伝達する。走査駆動部６３０は，選択信号を画像表示部４００に伝達する。
【００６６】
特に，ガンマ補正部６１０及びデータ駆動部６２０の動作を図４及び図１０を参照して説明すれば，ガンマ補正部６１０は，入力されるＲ，Ｇ，Ｂデータの各階調値に対応するデータ電圧をガンマ補正されたＲ，Ｇ，Ｂデータとして出力する。例えば，入力されるＲ，Ｇ，Ｂデータの階調値が０である場合にはオフ電圧値Ｖｏｆｆをガンマ補正されたＲ，Ｇ，Ｂデータで出力する。データ駆動部６２０は，ガンマ補正されたＲ，Ｇ，Ｂデータに対応するデータ信号を出力するが，ガンマ補正されたＲ，Ｇ，Ｂデータの階調値とデータ信号の値は，線形的な関係を持つ。即ち，ガンマ補正されたＲ，Ｇ，Ｂデータの階調値が増加すれば，これに比例してデータ信号の値も増加する。
【００６７】
以上，添付図面を参照しながら本発明の好適な実施形態について説明したが，本発明は係る例に限定されないことはいうまでもない。当業者であれば，特許請求の範囲に記載された範疇内において，各種の変更例または修正例に想到しうることは明らかであり，それらについても当然に本発明の技術的範囲に属するものと了解される。
【図面の簡単な説明】
【００６８】
【図１】本発明の第１実施形態による有機発光表示装置の回路図である。
【図２】携帯電話などの端末における光センサーの設置位置を示した図面である。
【図３】第１実施形態に係る有機発光表示装置に用いられたＡ／Ｄ変換器の一例を示す図面である。
【図４】第１実施形態に係る有機発光表示装置のガンマ補正値保存部に保存されたガンマ補正値の一例を説明したグラフである。
【図５】第１実施形態の有機発光表示装置のガンマ補正値保存部にＲ，Ｇ，Ｂ別に別途のガンマ補正値を保存する必要性を説明した図面であり，ｘｙ色図表を示す図面である。
【図６】感知信号によるガンマ補正値を説明するためのグラフである。
【図７】第１実施形態に係る有機発光表示装置に用いられたデータ駆動部の一例を示す図面である。
【図８】第１実施形態に係るデータ駆動部に用いられたＤ／Ａ変換回路の一例を示す図面である。
【図９】第１実施形態に係る有機発光表示装置に用いられた画像表示部に含まれる画素の一例を示す図面である。
【図１０】本発明の第２実施形態による有機発光表示装置の回路図である。
【符号の説明】
【００６９】
１００  光感知部
１１０  光センサー
１２０  Ａ／Ｄ変換器
２００  ガンマ制御部
２１０  感知信号処理部
２２０  ガンマ補正値保存部
３１０  ガンマ補正部
３２０  データ駆動部
３３０  走査駆動部
４００  画像表示部
【図１】
2006003874.tif 000003
【図２】
2006003874.tif 000004
【図３】
2006003874.tif 000005
【図４】
2006003874.tif 000006
【図５】
2006003874.tif 000007
【図６】
2006003874.tif 000008
【図７】
2006003874.tif 000009
【図８】
2006003874.tif 000010
【図９】
2006003874.tif 000011
【図１０】
2006003874.tif 000012